(57)【要約】    【課題】身体の動きを阻害することなく、種々の小物の分類収納と一括携帯を可能とし、また汚れ防止機能をも有する特にゴルフ用に適したエプロンを提供すること。    【解決手段】衣服の上から身体に装着されるエプロン１であって、ウェストから膝上２０ｃｍ位までの身体の部分を囲む本体２と、該本体２を身体に着脱自在に装着するための係止手段６１、６２と、前記本体２に取り付けられた少なくとも３つのポケット３、４、５とを具備している。【選択図】図１
0003111990.tif 000002
【実用新案登録請求の範囲】
【請求項１】
衣服の上から身体に装着されるエプロンであって、
ウェストから膝上２０ｃｍ位までの身体の部分を囲む本体と、
該本体を身体に着脱自在に装着するための係止手段と、
前記本体に取り付けられた少なくとも３つのポケットとを備えていることを特徴とするエプロン。
【請求項２】
前記本体が、下端部の横幅が上端部の横幅より広く、両端の前記係止手段の側の丈が中央部側の丈より短くなっていることを特徴とする請求項１記載のエプロン。
【請求項３】
前記係止手段が、前記本体の両側の端部に設けられていることを特徴とする請求項１又は請求項２記載のエプロン。
【請求項４】
前記３つのポケットのうちの少なくとも２つが、前記本体の身に付けた場合の後方側に取り付けられていることを特徴とする請求項1〜３のいずれかの項に記載のエプロン。
【請求項５】
前記３つのポケットの内の少なくとも１つが、蓋付きの立体形状を有するものであることを特徴とする請求項1〜４のいずれかの項に記載のエプロン。
【請求項６】
前記エプロンの構成材料として、天然皮革又は合成皮革、天然繊維又は合成繊維からなる布地、合成樹脂製シート、メッシュの内の１種あるいはこれらの組み合わせが用いられていることを特徴とする請求項１〜５のいずれかの項に記載のエプロン。
【考案の詳細な説明】
【技術分野】
【０００１】
本考案はエプロンに関し、より詳細には特にゴルフ用に適したエプロンに関する。
【背景技術】
【０００２】
様々な小物を必要とするスポーツをする場合、各小物を収納し、持ち運ぶ必要がある。例えば、ゴルフをする場合、ティー、マーク、フォーク、ボール、スコアカードなど多くの小物を携帯する必要がある。これらの小物を直接洋服のポケットやウェストバックに入れるのが一般的である。しかしながら、一つのポケットに種々の小物を入れていると、小物の出し入れに手間取り、また、ポケットの傷みも早く、そのために大切なスカートやズボンが早期に穿けなくなるといった課題があった。
【０００３】
また、ウェストバックを使用する場合、すべての小物が集中して収納されるため、小物の出し入れが不便だけではなく、運動中にバックがずれてスポーツの際のスムーズな動きを阻害する場合があるといった課題があった。
【０００４】
一方、携帯兼収納機能を有する様々なエプロンが提案されている。例えば、下記の特許文献１には、清掃用品を運搬する機能と保管する機能とを兼備したウォールポケット兼用エプロンが開示されている。また、下記の特許文献２には、多量の物品を収納することが可能なエプロンが開示されている。
【０００５】
しかしながら、このようなエプロンは、それぞれ清掃等の作業目的に合わせて収納機能が設けられたものであるため、ゴルフのようなスポーツ用には適さないといった課題があった。
【特許文献１】特開２００１−２２６８０６号公報
【特許文献２】実用新案登録 第３０１２２２１号
【考案の開示】
【課題を解決するための手段及びその効果】
【０００６】
本考案は上記課題に鑑みなされたものであって、身体の動きを阻害することなく、種々の小物の分類収納と一括携帯を可能とし、また汚れ防止機能をも有する特にゴルフ用に適したエプロンを提供することを目的としている。
【０００７】
上記目的を達成するために、本考案に係るエプロン（１）は、衣服の上から身体に装着されるエプロンであって、ウェストから膝上２０ｃｍ位までの身体の部分を囲む本体と、該本体を身体に着脱自在に装着するための係止手段と、前記本体に取り付けられた少なくとも３つのポケットとを備えていることを特徴としている。
【０００８】
上記エプロン（１）によれば、ウェストから膝上２０ｃｍ位までの身体の部分を囲む本体に少なくとも３つのポケットが設けられているため、ゴルフのプレー中であってもズボンやスカート等の洋服に土等の汚れが付着するのを防止することができる。また、ゴルフボールを１つのポケットに、スコアカードを他の１つのポケットに、その他のティー、マークなどをさらに他のポケットにといった具合に、ゴルフ用小物を分類収納して一括携帯することができる。そのため、各小物をプレー中に素早く取り出せ、また、大切なズボンやスカートのポケットは傷むことがないため、これらの衣服が早期に傷んで穿けなくなるといった事態が生じるのを防ぐことができる。しかもウェストバック等と異なり、スポーツの際にスムーズな動きを阻害することがない。また、前記係止手段により簡単に前記エプロンを身体に装着し、身体から取り外すことができる。
【０００９】
また、本考案に係るエプロン（２）は、上記したエプロン（１）において、前記本体が、下端部の横幅が上端部の横幅より広く、両端の前記係止手段の側の丈が中央部側の丈より短くなっていることを特徴としている。
上記エプロン（２）によれば、前記本体の下端部の横幅が上端部の横幅より広くなっているため、ウェスト部分から下方へ向ってやや広がるミニスカート形状のエプロンを構成することができ、また、前記係止手段の側の丈が中央部側の丈より短くなっているため、下端部の開口の径が大きくなっており、したがって、前記本体を横方向に無理に広げなくても、身体の動きを拘束しないエプロンを実現することができる。
【００１０】
また、本考案に係るエプロン（３）は、上記したエプロン（１）又は（２）において、前記係止手段が、前記本体の両側の端部に設けられていることを特徴としている。
上記エプロン（３）によれば、前記本体の両側の端部に設けられている前記係止手段で前記本体の両端を連結させることにより、前記エプロンをミニスカートのように身体に容易に素早く装着、取り外しすることができる。
【００１１】
また、本考案に係るエプロン（４）は、上記したエプロン（１）〜（３）のいずれかにおいて、前記３つのポケットのうちの少なくとも２つが、前記本体の身に付けた場合の後方側に取り付けられていることを特徴としている。
上記エプロン（４）によれば、前記本体の身に付けた場合の後方に前記ポケットの内の２つが取り付けられているため、小物が後方に多く収納され、小物収納による身体の動きに対する影響が少なくなり、スポーツの際によりスムーズな動きが可能となり、しかも審美性も向上される。
【００１２】
また、本考案に係るエプロン（５）は、上記したエプロン（１）〜（４）のいずれかにおいて、前記３つのポケットの内の少なくとも１つが、蓋付きの立体形状を有するものであることを特徴としている。
上記エプロン（５）によれば、蓋付きの立体形状を有するボケットが設けられているため、嵩張りポケットから落ち易いゴルフボールなどを前記蓋付きのポケットに収納しておけば安心してプレーに専念することができる。
【００１３】
また、本考案に係るエプロン（６）は、上記したエプロン（１）〜（５）のいずれかにおいて、前記エプロンの構成材料として、天然皮革又は合成皮革、天然繊維又は合成繊維からなる布地、合成樹脂製シート、メッシュの内の１種あるいはこれらの組み合わせが用いられていることを特徴としている。
上記エプロン（６）によれば、皮革、布地、樹脂製シート、メッシュなどを前記エプロンの構成材料とするため、季節（冬用に暖かく等）、天気（雨具としての用途等）、及びファッション性などを考慮したファショナブルな種々の機能を備えたエプロンを提供することができる。
【考案を実施するための最良の形態】
【００１４】
以下、本考案に係るエプロンの実施の形態を図面に基づいて説明する。
図１は、本考案の実施の形態に係るエプロンを示す平面図である。図中１はエプロンを示しており、エプロン１の本体２の中央部よりやや右側に前部ポケット３が設けられており、本体２の中央部より左側に後部ポケット４が設けられており、さらに、後部ポケット４の左側に蓋付きポケット５が設けられている。また、本体２の左側の端部に、３つのボタン６１、６１、６１が設けられており、本体２の右側の端部に、ボタン６１、６１、６１とそれぞれ対応している位置にボタン係止孔６２、６２、６２がそれぞれ形成されている。
図１に示したように、本体２は、上端部が略直線となっており、下端部が円弧状となっており、前記下端部の横幅が前記上端部の横幅より広く、左右両端部の丈が中央部の丈より短い半扇形となっている。
【００１５】
図２は、身体に装着された状態のエプロン１を示す正面図であり、図２に示したように、ボタン６１をボタン係止孔６２に止めることにより、ウェストから膝上２０ｃｍ位までの身体の部分を囲んで装着されるようになっている。本体２は、上端部の横幅が身体のウェストサイズに合わせられ、下端部の横幅が上端部の横幅より若干広く設定されているため、ウェストをしっかり締め込み、ウェストから下へやや広がるミニスカートの形態になっている。本体２の両端部の短い丈の部分は２０〜５０ｃｍの範囲で設定され、本体中央部の長い丈の部分は３０〜６０ｃｍの範囲で設定され、また、上端部の横幅のサイズは５５〜１５０ｃｍの範囲で設定されている。また、ウェストのサイズが調整可能なように、本体２の上端部の背面に伸縮可能なゴム（図示せず）が縫製されている。
【００１６】
前部ポケット３が本体２の裏面に縫製されており、その長さは本体２の丈に合わせられ、その幅が１０〜２５ｃｍの範囲で設定されている。また、前部ポケット３の開口３１は、物の出し入れが容易なように、下向きの弧状となっている。前部ポケット３は、ティー、マーク、フォーク等の収納に適している。
【００１７】
図３は、身体に装着された状態のエプロン１を示す背面図であり、図３に示したように、スコアカード収納用の後部ポケット４は、本体２の表面の上部の右側に縫製されており、上下方向長さが１２〜１７ｃｍの範囲で設定され、横幅が１０〜１２ｃｍの範囲で設定されている。また、後部ポケット４の開口４１は、ほぼまっすぐな形状となっている。
【００１８】
ゴルフボール収納用のポケット５は、本体２の表面の上部の左側に立体的に縫製されており、上下方向長さが８〜１２ｃｍの範囲で設定され、横幅が１０〜１５ｃｍの範囲で設定されている。また、ポケット５の上端部の開口（図示せず）の上には蓋５１が縫製されており、ボールなどの落ち易いものの収納に適したものとなっている。
【００１９】
エプロン１は、天然皮革又は合成皮革、天然繊維又は合成繊維からなる布地、合成樹脂製シート、メッシュ等を構成材料として形成された本体２の表面に、同様の素材又は異なる素材の組合わせとなる前部ポケット３、後部ポケット４、ポケット５が縫製されて形成されたものである。
【００２０】
季節、天気、ファッション性などを考慮して、本体２及び前部ポケット３、後部ポケット４、ポケット５の素材は選択される。例えば、夏用の場合、薄いズボンやスカートの上から日射しを止め、涼しくすることができるように、天然繊維等からなる薄い布地、ＵＶカット機能のある布地又は通気性にすぐれたネットやメッシュ等がエプロン１の主な構成材料とされる。秋春用の場合、天然繊維又は合成繊維からなる通常の厚さの布地がエプロン１の主な構成材料とされる。冬用の場合、寒い冬の日でも腰が冷えずに体の動きがスムーズにできるように、伸縮性と保温性に優れた天然繊維又は合成繊維からなる布地がエプロン１の主な構成材料とされる。防水型とする場合、雨の日でも快適にプレーできるように、雨水をはじき、汚れもつかない防水・揆水加工を施した布地又は合成樹脂製シートがエプロン１の主な構成材料とされる。ファッション性を重視したエプロンとする場合、天然皮革又は合成皮革、高級感のある天然繊維又は合成繊維からなる布地がエプロン１の主な構成材料とされる。
【００２１】
上記した実施の形態に係るエプロンによれば、スポーツをする際にも身体の動きが阻害されることがなく、また洋服が汚れるのを防止することができると共に、種々のゴルフ用小物を出し入れしやすいように分類して収納することができ、しかも一括携帯させることができる。また、ファッション性にも優れたミニスカートタイプのエプロンを実現することができる。
【００２２】
なお、上記した実施の形態では、ボタン６１とボタン係止孔６２による係止手段が採用されているが、別の実施の形態では、ファスナー、マジックテープ（登録商標）等の係止手段が採用されてもよい。また、上記した実施の形態では、エプロン本体２の身に付けた場合の前方に前部ポケット３が取り付けられ、後方に後部ポケット４と立体型ポケット５が取り付けられているが、別の実施の形態では、ポケットの数と配置が異なっていてもよい。
【００２３】
また、上記実施の形態では、ゴルフ用として説明したが、適用はゴルフ用に限定されるのではなく、種々の小物が用いられるものであれば、その用途は特に限定されるものではない。
【図面の簡単な説明】
【００２４】
【図１】本考案の実施の形態に係るエプロンを示す平面図である。
【図２】身体に装着されたエプロンの正面を示す正面図である。
【図３】身体に装着されたエプロンの背面を示す背面図である。
【符号の説明】
【００２５】
１  エプロン
２  本体
３  前部ポケット
４  後部ポケット
３１、４１  開口
５  ポケット
５１  蓋
６１  ボタン
６２  ボタン係止孔
【図１】
0003111990.tif 000003
【図２】
0003111990.tif 000004
【図３】
0003111990.tif 000005